【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
電動テンショニングシステムを含む履物製品であって、
第１伸張部材部分と第２伸張部材部分とを有する伸張部材と、
前記伸張部材に張力を加えて、前記履物製品によって画成される内部空洞のサイズを調整するように構成されている電動締付具と、
前記電動締付具に電力を供給するように構成されている電源とを具備しており、
前記第１伸張部材部分は、前記第１伸張部材部分の遠位端に留め具を有し、
前記第２伸張部材部分は、前記第２伸張部材部分の遠位端に対応する留め具を有し、
前記留め具は前記対応する留め具に接続されるように構成され、
前記伸張部材、前記電動締付具および前記電源は、前記履物製品に取り外し可能に装着されるように構成されている、履物製品。
【請求項２】
前記電動テンショニングシステムは、制御ユニットと、前記第１伸張部材部分、前記電動締付具、前記電源および前記制御ユニットを収容するように構成されているハウジングとをさらに含み、前記ハウジングは前記履物製品に取り外し可能に装着されるように構成されている、請求項１に記載の履物製品。
【請求項３】
前記ハウジングは前記履物製品のかかと部に取り外し可能に装着されるように構成されている、請求項２に記載の履物製品。
【請求項４】
前記ハウジングが前記履物製品の前記かかと部に装着された場合、前記電動締付具は前記履物製品の最後部に配置される、請求項３に記載の履物製品。
【請求項５】
前記ハウジングは、前記履物製品の前記かかと部の内側側部および外側側部を少なくとも部分的に包み込むように構成されている、請求項３に記載の履物製品。
【請求項６】
前記ハウジングが前記履物製品の前記かかと部に装着されたとき、前記電動締付具は前記履物製品の前記かかと部の前記内側側部または外側側部に配置される、請求項３に記載の履物製品。
【請求項７】
前記第１伸張部材部分は、前記留め具を前記対応する留め具から取り外すことにより、前記第２伸張部材部分から切り離し可能であり、それによって前記伸張部材を前記履物製品から取り外すことを可能にする、請求項１に記載の履物製品。
【請求項８】
前記伸張部材が前記履物製品に通されたとき、前記留め具および前記対応する留め具は前記履物製品の甲回り領域に配置される、請求項７に記載の履物製品。
【請求項９】
前記伸張部材は、前記履物製品の甲回り領域のひも締め領域で、前記履物製品に通されるように構成されている、請求項１に記載の履物製品。
【請求項１０】
前記伸張部材は、前記電動締付具と連動する前記第１伸張部材部分と、前記履物製品のソール構造で前記履物製品に通される前記第２伸張部材部分とを含む、請求項１に記載の履物製品。
【請求項１１】
前記電動締付具はリモートデバイスを使用して制御されるように構成されている、請求項１に記載の履物製品。
【請求項１２】
前記履物製品のソール構造のかかと領域に、クッション要素および電子機器の少なくとも１つをさらに含む、請求項１に記載の履物製品。
【請求項１３】
前記履物製品は、前記履物製品のソール構造のかかと領域にクッション要素と、前記履物製品の前記ソール構造の中足領域に電子機器とを含む、請求項１に記載の履物製品。
【請求項１４】
電動テンショニングシステムを含む履物製品であって、
第１伸張部材部分と第２伸張部材部分とを含む伸張部材と、
電動締付具に電力を供給するように構成されている電源とを具備しており、
前記電動テンショニングシステムは、前記電動締付具と、前記電源と、制御ユニットと、前記第１伸張部材部分とを収容するように構成されているハウジングを含み、前記ハウジングは前記履物製品のかかと部に取り外し可能に装着されるように構成され、
前記電動締付具は、前記伸張部材に張力を加えるように構成され、
前記第１伸張部材部分は、前記第１伸張部材部分の遠位端に留め具を有し、
前記第２伸張部材部分は、前記第２伸張部材部分の遠位端に対応する留め具を有し、
前記留め具は前記対応する留め具に接続されるように構成されている、履物製品。
【請求項１５】
前記電源と前記電動締付具との間に延びている第１電気ケーブルと、前記制御ユニットと前記電動締付具との間に延びている第２電気ケーブルとを、さらに備える、請求項１４に記載の履物製品。
【請求項１６】
前記第１伸張部材部分は、前記留め具を前記対応する留め具から取り外すことにより、前記第２伸張部材部分から切り離し可能である、請求項１４に記載の履物製品。
【請求項１７】
前記ハウジングの第１の面が、前記かかと部の第２の面に適合するように構成されている、請求項１４に記載の履物製品。
【請求項１８】
前記第１の面および前記第２の面は、面ファスナ材料により、取り外し可能に装着されるように構成されている、請求項１７に記載の履物製品。
【請求項１９】
手動締めひもをさらに備え、前記電動テンショニングシステムは、前記手動締めひもを代替するように構成されている、請求項１４に記載の履物製品。
【請求項２０】
前記ハウジングは前記かかと部の内側側部および外側側部を包み込むように構成され、前記ハウジングは前記外側側部よりも前記内側側部により低いプロファイルを有するようにされている、請求項１４に記載の履物製品。
【請求項２１】
履物製品と、
手動締めひもと、
電動テンショニングシステムと、
前記履物製品、前記手動締めひも、伸張部材および電動締付具を収容するように構成されている容器とを具備する部品キットであって、
前記電動テンショニングシステムは、伸張部材と、前記伸張部材に張力を加えて前記履物製品によって画成される内部空洞のサイズを調整するように構成されている電動締付具とを含み、
前記伸張部材は、第１伸張部材部分と第２伸張部材部分とを有し、
前記第１伸張部材部分は、手動による接続操作で前記第２伸張部材部分に接続されるように構成され、
前記伸張部材および前記電動締付具は、前記履物製品に取り外し可能に装着されて、前記手動締めひもと取り替えられるように構成されている、部品キット。
【請求項２２】
前記第１伸張部材部分は、前記接続を手動で解除することにより、前記第２伸張部材部分から切り離し可能であり、それによって前記伸張部材を前記履物製品から取り外すことを可能にする、請求項２１に記載の部品キット。
【請求項２３】
前記電動締付具を遠隔制御するためのリモートデバイスをさらに有する、請求項２１に記載の部品キット。
【手続補正２】
【補正対象書類名】明細書
【補正対象項目名】００４２
【補正方法】変更
【補正の内容】
【００４２】
ソール構造１１５０の構成は、ソール構造１１５５を使用してもよい１つ以上の種類の地面に応じて、大幅に変えてもよい。たとえば、開示される概念は、室内の床面または屋外の地表面を含む多様な地表面のいずれかで使用するために構成されている履物に適用可能であってもよい。ソール構造１１５０の構成は履物１１１０を使用することが想定される地表面の特性および条件に基づいて変えてもよい。たとえば、ソール構造１１５０は、地表面が固いかまたは柔らかいかに応じて変えてもよい。くわえて、ソール構造１１５０は湿潤または乾燥条件での使用に合わせて作ってもよい。
【手続補正３】
【補正対象書類名】明細書
【補正対象項目名】００４７
【補正方法】変更
【補正の内容】
【００４７】
いくつかの実施形態では、図２に図示されるように、ミッドソール１１５１の部分は履物１１１０の周縁の周りに露出していてもよい。他の実施形態では、ミッドソール１１５１は、アッパー１１５５の材料層など、他の要素で完全に覆われていてもよい。ミッドソール１１５１は、履物１１１０の意図される活動に応じて、上記説明した特性を有する任意の適した材料から形成してもよい。いくつかの実施形態では、ミッドソール１１５１は、ポリウレタン（ＰＵ）、エチルビニルアセテート（ＥＶＡ）、またはウォーキング、ランニングもしくは他の歩行活動中にソール構造１１５０が地面に接触するときに地面の反力を弱めるように作用する任意の他の適した材料などの、発泡ポリマー材料を含んでもよい。
【手続補正４】
【補正対象書類名】明細書
【補正対象項目名】００５２
【補正方法】変更
【補正の内容】
【００５２】
図２に点線１１３７で示されるように、伸張部材は、手動締めひもと同じようにまたは同様に、ひも締め領域１１７５のひも穴に挿通してもよい。たとえば、第３伸張部材部分１１３５は第５ひも穴１１８５、第２ひも穴１１８２、第７ひも穴１１８７および第４ひも穴１１８４に通してもよい。同様に、第４伸張部材部分１１３６は第１ひも穴１１８１、第６ひも穴１１８６、第３ひも穴１１８３および第８ひも穴１１８８に通してもよい。第３伸張部材部分１１３５および第４伸張部材部分１１３６は第１伸張部材部分１１３０から着脱可能であってもよく、第３伸張部材部分１１３５および第４伸張部材部分１１３６はいずれかの端部からひも穴に挿通してもよい。伸張部材の部分を一緒に接続する機械的コネクタは模式的に示されており、図示する目的で拡大して示されていることは留意されるであろう。たとえば、第３伸張部材部分１１３５および第４伸張部材部分１１３６の遠位端にある継手１２３５は、第１コネクタ部１２４０および第２コネクタ部１２４５を含んでもよい。第１コネクタ部１２４０および第２めす型部１２４５は、ひも締め領域１１７５のひも穴に挿通されるようなサイズにされ、そのように構成されていてもよい。
【手続補正５】
【補正対象書類名】明細書
【補正対象項目名】０１１３
【補正方法】変更
【補正の内容】
【０１１３】
まず図１７を参照すると、トルク伝達システム２５０は、締めひもが完全に緩んでいる構成である。より具体的には、この構成は、トルク伝達システム２５０からスプール２４０に伝達されるトルクがないものである。この構成において、第４歯車２３７から爪部材６００にトルクが伝達しないように、第４歯車２３７は爪部材６００（ラチェットハウジング６０２内に配置されている）から離間していてもよい。また、第４歯車２３７が爪部材６００およびスプール２４０に対する締付け圧を提供しなければ、スプール２４０は爪部材６００から第１端部６７０で実質的な抵抗なく回転してもよい。さらに、この構成では、係合板６４０およびフランジ部６２８はスプール２４０の第２端部６７２から離間しているので、スプール２４０は第２端部６７２で回転するのにも抵抗を一切受けない。内ハウジング６１２の形状構成はスプール２４０の軸方向の動きを妨げるが、この構成では、スプール２４０は第１回転方向にまたは第２回転方向に回転してもよい。
【手続補正６】
【補正対象書類名】明細書
【補正対象項目名】０１１７
【補正方法】変更
【補正の内容】
【０１１７】
図１９は、スプール２４０が締めひもを巻き込み始めた構成のトルク伝達システム２５０の動作を示す（つまり、トルク伝達システム２５０が漸次締付けモードにある）。この場合、爪部材６００との接触がシャフト２５４に沿った第４歯車２３７のさらなる軸方向の並進を妨げるが、モータ２２０は第４歯車２３７を第１回転方向（矢印７００で模式的に示される）に駆動し続ける。そのため、第４歯車２３７が回り続けると、シャフト２５４が軸方向に（矢印７０６で模式的に示される）並進するので、第１端部６２０はスプール２４０から遠くに並進する。シャフト２５４が軸方向に並進すると、フランジ部６２８はスプール２４０の第２端部６７２を圧迫し、ピン６４４をスプール２４０の位置合わせ穴（図１５を参照）に係合させる。これがシャフト２５４とスプール２４０とを一緒にロックし、この２つの構成要素の相対的な回転を防止する。フランジ部６２８とスプール２４０との間の接触がシャフト２５４のさらなる軸方向の並進を防止する。この時点で、ラチェットアセンブリ２５２がスプール２４０の第１端部６７０を圧締すると、第４歯車２３７のさらなる駆動がスプール２４０を第１回転方向（矢印７０８で模式的に示される）に回転させるように作用する。モータ２４０が第４歯車２３７を駆動し続ける限り、締めひもはスプール２４０に巻き取られてもよい。